(57)【要約】      （修正有）【課題】シュリンク用樹脂フィルムの分別がし易いシュリンク包装体を提供する。【解決手段】基材となるパイプ２１に樹脂フィルム１０によるシュリンク包装をする。その樹脂フィルム１０に引き裂き用のミシン目状の孔列１２が形成され、その孔列１２は、パイプ２１の両端縁に至っている。パイプ２１は単管として簡易バリケード３０の横杆３１として使用する。この横杆３１は、図３（ｂ）鎖線矢印で示すように、孔列１２の端から、樹脂フィルム１０を容易に引き裂くことによって、パイプ２１から容易に剥がして両者を分別できる。このパイプ２１には、衝突緩和材として、スポンジ等の緩衝材を樹脂フィルム１０で被覆したパイプクッションを装着できる。この緩衝材を有するクッションは、建物のコーナ（角部）などの衝突した場合、人が傷つく恐れのある部分のクッション材として使用することができる。【選択図】図３
0003212540.tif 000002
【実用新案登録請求の範囲】
【請求項１】
基材（２１、３１、４１，５１，６１）が樹脂フィルム（１０）でシュリンク包装され、そのシュリンク包装した樹脂フィルム（１０）に引き裂き用のミシン目状の孔列（１２）を形成し、そのミシン目状の孔列（１２）は、シュリンク包装された基材の対向する両端縁に対応する樹脂フィルム（１０）の端縁に至っていることを特徴とするシュリンク包装体。
【考案の詳細な説明】
【技術分野】
【０００１】
この考案は、単管パイプ、仮設足場用パイプ等の基材をシュリンク包装したシュリンク包装体に関するものである。
【背景技術】
【０００２】
シュリンク包装は、各種物品を熱収縮性樹脂フィルムで包装したものであり、そのフィルム包装を剥がすために、ミシン目を形成したものがある（特許文献１等参照）。
この物品をシュリンク包装した包装体は、物品を包んでその劣化などを防止したり、その劣化に加えて、装飾や公告表示等をしたりするものである。
【先行技術文献】
【特許文献】
【０００３】
【特許文献１】特開２００３−３２７２７１号公報
【考案の概要】
【考案が解決しようとする課題】
【０００４】
ところで、例えば、建築資材において、その資材を区別するために、種々の塗装をしたり、コンクリートとの剥離性を得るため、資材表面に剥離材を塗布したりしている。
塗装された建築資材は、汚れが激しく、その塗装をし直すのも煩雑である。また、剥離性が良いものであっても、コンクリートノロが付着し、その付着材を剥ぎ取る作業は繁雑である。
【０００５】
この考案は、以上の実状の下、シュリンク包装の新たな使用態様を提案することを課題とする。
【課題を解決するための手段】
【０００６】
上記課題を達成するため、この考案は、まず、基材を樹脂フィルムでシュリンク包装し、そのシュリンク包装した樹脂フィルムに引き裂き用のミシン目状の孔列を形成したのである。
シュリンク包装は、基材のサイズに合わせた樹脂フィルムの袋にその基材を入れたり、又は、基材を樹脂フィルムで覆ったりした上で、シュリンク機械に通して加熱すると、樹脂フィルムが縮んで基材を密封被覆するため、基材の全表面に樹脂フィルムがピッタリ添い、基材の外面形状の変形は極めて少ない。このため、シュリンク包装しても、基材の本来の機能に支障が出ることはない。
【０００７】
つぎに、そのミシン目状孔列は、シュリンク包装された基材の対向する両端縁に至っていることとしたのである。
ミシン目状孔列が基材の対向する両端縁に至っておれば、そのミシン目状孔列を介して基材の一端縁から他端縁に向かって、シュリンクされた樹脂フィルムを容易に引き裂いて剥がすことができる。
上記基材は、仮設足場の各種のパイプ、同手摺り、パイプクッション、コンクリート打設用型枠、同ボイド管、保安用バリカー類等が考えられる。
【考案の効果】
【０００８】
この考案は、以上のように構成したので、従来になかった使用態様を採用することができるとともに、基材とシュリンク包装用樹脂フィルムの分別がし易いものとなる。また、容易に、新たなシュリンク包装を行い得る。
【図面の簡単な説明】
【０００９】
【図１Ａ】この考案に係る樹脂フィルムの各態様の斜視図
【図１Ｂ】同他の各態様の斜視図
【図１Ｃ】同他の各態様の斜視図
【図１Ｄ】同他の各態様の斜視図
【図２】この考案に係るシュリンク包装体の各実施形態の斜視図
【図３】この考案に係るシュリンク包装体の他の各実施形態を示し、（ａ）は斜視図、（ｂ）は）（ａ）の要部拡大図
【図４】この考案に係るシュリンク包装体のさらに他の各実施形態を示し、（ａ）は概略正面図、（ｂ）は（ａ）のＩ−Ｉ線断面図
【図５】この考案に係るシュリンク包装体のさらに他の各実施形態を示し、（ａ）は概略斜視図、（ｂ）は（ａ）の要部拡大図
【図６】この考案に係るシュリンク包装体のさらに他の各実施形態を示し、（ａ）は斜視図、（ｂ）は施工状態の平面図、（ｃ）は（ａ）の右切断側面図
【考案を実施するための形態】
【００１０】
シュリンク包装するための樹脂フィルム１０の態様としては、図１Ａ（ａ）、（ｂ）に示す、チューブ状が一般的であり、図１Ｂ（ａ）、（ｂ）に示す、袋状であったり、図１Ｃ（ａ）、（ｂ）、図１Ｄ（ａ）、（ｂ）に示す、シート状であったり、とシュリンクができる態様であれば、種々の樹脂フィルム１０の態様を採用する。その樹脂フィルム１０は、ポリ塩化ビニル、ポリエチレンやポリプロピレン等のポリオレフィンなどの周知のシュリンク用樹脂を採用する。樹脂フィルム１０の厚さは任意である。例えば、０．０２〜０．５ｍｍ厚程度とする。
【００１１】
その何れかの樹脂フィルム１０において、レーザ光ｃを照射する等によってミシン目状の孔列１２を形成する（図１Ｂ（ｂ）、図１Ｃ（ａ）参照）。その孔列１２は樹脂フィルム１０の対向する両端縁に至らす。このとき、図１Ｂ（ｂ）に示すように、樹脂フィルム１０を偏平にして孔列１２を形成する部位にレーザ光ｃを照射する等によって形成すれば、孔列１２は２面に形成される。孔列１２の孔の大きさや間隔、列数は、孔列１２を介して樹脂フィルム１０を円滑に剥ぎ取れるように実験などによって適宜に設定する。
【００１２】
樹脂フィルム１０を基材に覆い被せる態様としては、基材（２１、４１、５１、５２、５３、５４、６１）のサイズに合わせた（基材が入り得る、又は基材を包み得る）大きさの樹脂フィルム１０とし、図１Ａのチューブ状、図１Ｂの袋状であれば、その樹脂フィルム１０に基材を装入（挿入）する。
図１Ｃ、図１Ｄに示すシート状であれば、基材に被せた後、接着剤や両面テープｔによって端を止めて袋状、チューブ状にする。この袋状、チューブ状とするのは、基材に被せる前又は後にその形状にしても良い。
樹脂フィルム１０で被覆された基材をシュリンク機に通して加熱すると、樹脂フィルム１０が縮んで基材を密封被覆する。このとき、この樹脂フィルム１０は孔列１２を有するため、その孔がシュリンク時の空気抜き作用を行う。
【００１３】
基材としては、図２に示すように、一般的には、棒材（パイプ）２１が一般的である。その棒材２１は、同図（ａ）に示す円筒状、同図（ｂ）に示す角筒状等が考えられる。この実施形態においては、図示鎖線矢印で示すように、孔列１２の端から、その孔列１２を介して樹脂フィルム１０を引き裂くことによって、パイプ２１からシュリンク包装された樹脂フィルム１０を剥ぎ取ることができる。
【００１４】
パイプ２１は単管として使用され、例えば、図３（ａ）に示す、簡易バリケード３０の横杆３１として使用し得る。この横杆３１は、同図（ｂ）鎖線矢印で示すように、孔列１２の端から、その孔列１２を介して樹脂フィルム１０を引き裂くことによって、パイプ２１からシュリンク包装された樹脂フィルム１０を剥ぎ取ることができる。
この簡易バリケード３０において、脚３２についても樹脂フィルム１０によってシュリンク包装することができる。
【００１５】
また、図４（ａ）に示す、バリカーのＵ字管４１に樹脂フィルム１０をシュリンク包装することができる。この樹脂フィルム１０の色彩や模様を種々に変化させることによって、そのＵ字管（バリカー）４１の使用個所、使用者、使用目的等を種別することができる。同一のＵ字管４１により、種々の目的に使用する場合は、その都度、シュリンク用樹脂フィルム１０を取り替えれば良い。
Ｕ字管４１は、他の周知の直管や逆コ字状管等とすることができる。
【００１６】
この種のバリカーには、衝突緩和材として、スポンジ等の緩衝材４２を樹脂フィルムで被覆したパイプクッション４３が装着される場合があり、その場合、その樹脂フィルムとしてこの考案に係る樹脂フィルム１０を採用してシュリンク包装をすることができる。
この緩衝材４２を有するクッションは、建物のコーナ（角部）などの衝突した場合、人が傷つく恐れのある部分のクッション材として使用することができる。そのクッションは、筒状に限らず、可撓性を有する板状等とし得る。
【００１７】
さらに、図５に示す、仮設足場５０のパイプ状支柱５１や同斜材５２、同水平材５３、同布材５４等にもこの考案に係る樹脂フィルム１０のシュリンク包装を採用することができる。これらの資材５１、５２、５３、５４は、建物の建設に伴って、コンクリートノロ等が付着する。その付着材を剥ぎ取る必要があるが、この考案のシュリンク包装を採用すれば、被覆樹脂フィルム１０を剥ぎ取ることによって、付着物の付いた被覆（樹脂フィルム１０）を除去することができる。このため、剥ぎ取り作業が容易となり、その剥ぎ取った資材には、再度、この考案の樹脂フィルム１０によるシュリンク包装を行えば、新品の資材とし得る。
【００１８】
また、同図に示すように、仮設足場５０に設ける看板５５においても、各種の表示Ａが記載された樹脂フィルム１０をその看板基材５５にシュリンク包装したものとすることができる。この看板５５においても、同図（ｂ）に示すように、ミシン目列１２を介して樹脂フィルム１０を容易に剥がすことができる。このため、看板基材５５には、新たな表示をした樹脂フィルム１０をシュリンク包装することによって新たな看板とし得る。
仮設足場５０は、レンタルが主流であるため、この樹脂フィルム１０のシュリンク包装によって、その仮設足場部材（支柱５１等）のレンタル元等を区別できる。
【００１９】
また、図６に示すように、コンクリート層Ｃにおいて、穴を形成する際の管ボイド６０にもこの考案に係るシュリンク包装を採用できる。このボイド６０の場合、ダンボール、木材、発泡スチロール等からなる円筒形基材６１の外周面に、この考案に係る樹脂フィルム１０によってシュリンク包装（被覆）を行う。
このボイド６０は、図６（ｂ）、（ｃ）に示すように、鉄筋６３が配置された所要位置に設置し、コンクリートＣを打設し、コンクリートＣが養生・固化後、引き抜くことによって、所要の穴をコンクリート層に形成する。このとき、ボイド６０の外面は樹脂フィルム１０で形成されているため、その引き抜きは容易である。
必要であれば、鉄筋６３にもこの考案に係る樹脂フィルム１０によるシュリンク包装を採用することができる。
コンクリート打設における、板状等の種々の型枠においても、この考案に係る樹脂フィルム１０によるシュリンク包装を採用することができる。
【００２０】
この考案に係る樹脂フィルム１０のシュリンク包装は、上記実施形態の態様に限らず、駅やホテルなどの各種建物内の柱の養生や傷防止等にも、それらの被覆として使用することができる。また、各種イベントにおけるパイプ組み物（観客席、デコレーション等）においても採用し得る。さらに、建築現場における、例えば、棟上げ式時の「大安吉日」の表示をする場合において、その大安吉日の書かれた樹脂フィルム１０を建物の一部や新たに設けた部材にシュリンク包装して前記表示とすることができる。このようにすれば、樹脂フィルム１０を取り替えるだけで、その表示を変更することができる。
また、付着物の除去のみならず、装飾被覆として使用した場合、その被覆樹脂フィルム１０を剥ぎ取って、新たな色彩、模様、表示等の樹脂フィルム１０をシュリンク包装することによって、新たな部品とすることもできる。
さらに、舞台枠組みや建築現場の防止柵のパイプ、農業用ビニールハウス等のトンネルアーチ材（パイプ）等にもこの考案を採用することができる。
【００２１】
このように、今回開示された実施の形態はすべての点で例示であって制限的なものではないと考えられるべきである。この考案の範囲は、実用新案登録の範囲によって示され、実用新案登録の範囲と均等の意味および範囲内でのすべての変更が含まれることが意図される。
【符号の説明】
【００２２】
１０  樹脂フィルム
１２  ミシン目の孔列
２１  パイプ（基材）
４１  Ｕ字管（基材）
４２  緩衝材（スポンジ）
４３  パイプクッション
５０  仮設足場
５１  仮設足場の支柱（基材）
５２  同斜材（基材）
５３  同水平材（基材）
５４  同布材（基材）
５５  同看板（基材）
６０  管ボイド
６１  紙管（基材）
６３  鉄筋（基材）
Ａ  表示
Ｃ  コンクリート
ｔ  両面テープ
【図１Ａ】
0003212540.tif 000003
【図１Ｂ】
0003212540.tif 000004
【図１Ｃ】
0003212540.tif 000005
【図１Ｄ】
0003212540.tif 000006
【図２】
0003212540.tif 000007
【図３】
0003212540.tif 000008
【図４】
0003212540.tif 000009
【図５】
0003212540.tif 000010
【図６】
0003212540.tif 000011